(57)【要約】【課題】形状データの内容を容易に判別可能に、加工条件および形状データを含むファイルを生成することができるレーザ加工装置、プログラム、およびデータ記憶方法を提供すること。【解決手段】ＣＰＵ７１は画像保存処理において印字ファイルを作成し、ファイル作成保存処理において加工画像データを生成する。ＣＰＵ７１はステップＳ３５においてＹＥＳと判断した場合には、印字ファイルと加工画像データが含まれる画像ファイルとを別々に記憶させる。ＣＰＵ７１はステップＳ３５においてＮＯと判断した場合には、加工画像データを組み込んだ印字ファイルを記憶させる。加工画像データは印字データに基づいているので、記憶された加工画像データを表示させれば、ユーザは印字ファイルに含まれる印字データの内容を容易に判別することができる。【選択図】図８
2018140407.tif 000002
【特許請求の範囲】
【請求項１】
加工対象物にレーザ加工を行うためのレーザ光を出射するレーザ光出射部と、
前記レーザ光を走査する走査部と、
前記走査部で走査された前記レーザ光を集光する集光部と、
前記レーザ光出射部および前記走査部を制御する制御部と、を備え、
前記制御部は、
前記レーザ加工において前記レーザ光により描画される印字パターンの形状を示す形状データに、前記レーザ加工の条件を示す加工条件データが対応付けられた印字データを所定ファイル形式のファイルとした印字ファイルを生成する第１生成処理と、
前記印字データに基づく画像データを生成する第２生成処理と、
前記印字ファイルおよび前記画像データを記憶部に記憶させる第１記憶処理と、を実行し、
前記第１記憶処理において、前記画像データを前記印字ファイルに対応させて記憶させることを特徴とするレーザ加工装置。
【請求項２】
前記制御部は、前記第１記憶処理において、
前記画像データを前記印字ファイルに組み込むことにより、前記画像データを前記印字ファイルに対応させることを特徴とする請求項１に記載のレーザ加工装置。
【請求項３】
前記画像データが組み込まれた前記印字ファイルは、
前記画像データが、汎用の画像表示ソフトウェアにより表示可能に構成されていることを特徴とする請求項２に記載のレーザ加工装置。
【請求項４】
表示部を備え、
前記制御部は、
前記画像データが組み込まれた前記印字ファイルに含まれる前記印字データに基づいた画像を前記表示部に表示させる表示処理と、
当該印字データに基づく前記レーザ加工を指示するレーザ加工処理と、を実行することを特徴とする請求項３に記載のレーザ加工装置。
【請求項５】
前記画像データが組み込まれた前記印字ファイルは、
前記印字ファイルにおける前記画像データのデータ形式を示すデータ判断記号と、
前記画像データの読み出しへと誘導する誘導プログラムと、を有することを特徴とする請求項４に記載のレーザ加工装置。
【請求項６】
前記画像データが組み込まれた前記印字ファイルは、
前記印字データを有していることを示す印字記号を、データ配列における、前記誘導プログラムの前に有し、
前記制御部は、
前記印字データの再生指示を受け付けたか否かを判断する再生受付処理と、
前記再生受付処理において、前記再生指示を受け付けたと判断した場合、前記印字ファイルをデータ配列順に読み出す読出処理と、
前記印字記号が前記印字ファイルに有るか否かを判断する第１判断処理と、
前記第１判断処理において、前記印字記号が有ると判断した場合、前記表示処理を実行することを特徴とする請求項５に記載のレーザ加工装置。
【請求項７】
前記制御部は、
前記印字データに基づくサムネイル画像データを生成する第３生成処理を実行し、
前記第１記憶処理において、前記サムネイル画像データを前記印字ファイルに組み込むことを特徴とする請求項２乃至請求項６の何れかに記載のレーザ加工装置。
【請求項８】
前記制御部は、前記第１記憶処理において、
前記画像データを画像ファイルとし、前記画像ファイルと、前記印字ファイルとに、同じ識別子を付与し、別々のファイルとして記憶することにより、前記画像データを前記印字ファイルに対応させることを特徴とする請求項１に記載のレーザ加工装置。
【請求項９】
前記画像ファイルのファイル形式は、汎用の画像表示ソフトウェアにより表示可能であることを特徴とする請求項８に記載のレーザ加工装置。
【請求項１０】
前記制御部は、前記第１記憶処理の実行前に、
前記画像データを記憶する指示を受付けたか否かを判断する第２判断処理を実行し、
前記第２判断処理において、前記画像データを記憶する指示を受け付けたと判断した場合、前記第１記憶処理を実行し、
前記第２判断処理において、前記画像データを記憶する指示を受け付けていないと判断した場合、前記印字ファイルを記憶部に記憶させる第２記憶処理を実行することを特徴とする請求項１乃至請求項９の何れかに記載のレーザ加工装置。
【請求項１１】
前記画像データは、前記加工条件データおよび前記印字データに基づき、前記加工対象物の加工面に前記レーザ光が照射された後の前記加工面の加工状態を示すものであり、
前記制御部は、前記第２生成処理の実行前に、
前記レーザ加工における前記加工条件データおよび前記印字データを取得する取得処理を実行し、
前記第２生成処理において、
前記加工条件データと前記加工面の前記レーザ光が照射された部分の加工部分データとが対応付けられたデータベースから、前記取得処理にて取得した前記加工条件データに対応する前記加工部分データを取得し、取得した前記加工部分データおよび前記取得処理にて取得した前記印字データに基づき前記画像データを生成することを特徴とする請求項１乃至請求項１０の何れかに記載のレーザ加工装置。
【請求項１２】
前記加工条件データは、前記レーザ加工における、前記レーザ光の強度データと、前記走査部の走査速度データと、前記レーザ光の照射回数データとのうち、少なくとも何れか１つを有することを特徴とする請求項１１に記載のレーザ加工装置。
【請求項１３】
前記加工条件データは、前記加工対象物の材質データおよび前記加工対象物の表面に施されている表面加工の種類データの少なくとも何れか一方を有することを特徴とする請求項１１または請求項１２に記載のレーザ加工装置。
【請求項１４】
前記加工部分データは、前記レーザ加工における、加工深さデータおよび加工色データの少なくとも何れか一方を有することを特徴とする請求項１１乃至請求項１３の何れかに記載のレーザ加工装置。
【請求項１５】
加工対象物にレーザ加工を行うためのレーザ光を出射するレーザ光出射部と、前記レーザ光を走査する走査部と、前記走査部で走査された前記レーザ光を集光する集光部と、備えるレーザ加工装置に、
前記レーザ加工において前記レーザ光により描画される印字パターンの形状を示す形状データに、前記レーザ加工の条件を示す加工条件データが対応付けられた印字データを所定ファイル形式のファイルとした印字ファイルを生成する第１生成ステップと、
前記印字データに基づく画像データを生成する第２生成ステップと、
前記印字ファイルおよび前記画像データを記憶部に記憶させる第１記憶ステップと、を実行させ、
前記第１記憶ステップにおいて、前記画像データを前記印字ファイルに対応させて記憶させることを特徴とするプログラム。
【請求項１６】
加工対象物にレーザ加工を行うためのレーザ光を出射するレーザ光出射部と、前記レーザ光を走査する走査部と、前記走査部で走査された前記レーザ光を集光する集光部と、を備えるレーザ加工装置におけるデータ記憶方法であって、
前記レーザ加工において前記レーザ光により描画される印字パターンの形状を示す形状データに、前記レーザ加工の条件を示す加工条件データが対応付けられた印字データを所定ファイル形式のファイルとした印字ファイルを生成する第１生成ステップと、
前記印字データに基づく画像データを生成する第２生成ステップと、
前記印字ファイルおよび前記画像データを記憶部に記憶させる第１記憶ステップと、を実行させ、
前記第１記憶ステップにおいて、前記画像データを前記印字ファイルに対応させて記憶させることを特徴とするデータ記憶方法。
【発明の詳細な説明】
【技術分野】
【０００１】
本発明は、レーザ加工装置、プログラム、およびデータ記憶方法に関するものである。
【背景技術】
【０００２】
特許文献１には、設定された、例えばレーザパワーの条件などの加工条件および例えば図形の形状などの形状データ（加工データ）に基づく加工後の状態を示す加工状態画像の画像信号を生成するレーザ加工機が記載されている。特許文献１記載のレーザ加工機によれば、加工状態画像が表示装置に表示されることより、ユーザは加工前に加工状態を確認することができる。
【先行技術文献】
【特許文献】
【０００３】
【特許文献１】特許第５８９５８９２号公報
【発明の概要】
【発明が解決しようとする課題】
【０００４】
ところで、過去に行ったレーザ加工と同様の加工条件および形状データで、再度レーザ加工が行われる場合がある。そこで、加工条件および形状データを１つのファイルとして記憶部に記憶させておき、適宜、当該ファイルを読み出すことにより、同様の加工条件および形状データでのレーザ加工を行うことが考えられる。ただし、特に、上述のファイルが記憶部に複数記憶されている場合、例えば、当該ファイルに付与されたファイル名だけでは、所望の加工条件および形状データであるファイルが何れであるかを判別することは難しかった。
【０００５】
本願は、上記の課題に鑑み提案されたものであって、形状データの内容を容易に判別可能に、加工条件および形状データを含むファイルを生成することができるレーザ加工装置、プログラム、およびデータ記憶方法を提供することを目的とする。
【課題を解決するための手段】
【０００６】
本明細書は、加工対象物にレーザ加工を行うためのレーザ光を出射するレーザ光出射部と、レーザ光を走査する走査部と、走査部で走査されたレーザ光を集光する集光部と、レーザ光出射部および走査部を制御する制御部と、を備え、制御部は、レーザ加工においてレーザ光により描画される印字パターンの形状を示す形状データに、レーザ加工の条件を示す加工条件データが対応付けられた印字データを所定ファイル形式のファイルとした印字ファイルを生成する第１生成処理と、印字データに基づく画像データを生成する第２生成処理と、印字ファイルおよび画像データを記憶部に記憶させる第１記憶処理と、を実行し、第１記憶処理において、画像データを印字ファイルに対応させて記憶させることを特徴とするレーザ加工装置を開示する。このようにすれば、画像データは印字データに基づいているので、記憶された画像データを表示させれば、印字ファイルに含まれる印字データの内容を容易に判別することができる。
【発明の効果】
【０００７】
本願によれば、形状データの内容を容易に判別可能に、加工条件および形状データを含むファイルを生成することができるレーザ加工装置、プログラム、およびデータ記憶方法を提供することができる。
【図面の簡単な説明】
【０００８】
【図１】本実施形態に係るレーザ加工装置の概略構成である。
【図２】レーザ加工装置の電気的構成を示すブロック図である。
【図３】加工設定の表示画面を示す図である。
【図４】ファイル作成保存処理の処理内容を示すフローチャートである。
【図５】加工状態データを説明する図である。
【図６】加工画像を説明する図である。
【図７】保存設定画面の表示画面を説明する図である。
【図８】画像保存処理の処理内容を示すフローチャートである。
【図９】画像ファイル作成処理の処理内容を示すフローチャートである。
【図１０】画像印字ファイルのデータ構成を示す図である。
【図１１】第１画像表示処理の処理内容を示すフローチャートである。
【図１２】第２画像表示処理の処理内容を示すフローチャートである。
【発明を実施するための形態】
【０００９】
＜レーザ加工装置の概略構成＞
本実施形態に係るレーザ加工装置１の概略構成について図１を用いて説明する。本実施形態に係るレーザ加工装置１は、ＰＣ（Personal Computer）７、レーザ加工部２、レーザコントローラ５などを備える。また、レーザ加工部２は、レーザヘッド部３および電源ユニット６などを有する。レーザ加工部２は、レーザコントローラ５から送信される情報に基づいて、加工対象物Ｗの加工面ＷＡに対してレーザ光Ｌを２次元走査して文字、記号、図形等をマーキングするレーザ加工を行う。以下の説明において、レーザ加工を印字と記載する場合がある。
【００１０】
ＰＣ７は、例えばノートＰＣなどで実現され、ＬＣＤ（Liquid Crystal Display）７７、キーボード７６、およびマウス７８などを備え、ユーザからの加工命令を受け付け、印字データを作成し、レーザコントローラ５へ出力する。ここで、印字データとは、レーザ加工においてレーザ光Ｌにより描画される印字パターンの形状を示すＸＹ座標データと、ＸＹ座標データにレーザ加工の条件を示す加工条件データとが対応付けられたデータである。レーザコントローラ５はコンピュータなどで実現され、レーザ加工部２およびＰＣ７と双方向通信可能に接続されている。レーザコントローラ５はＰＣ７から出力された印字データに基づいてレーザ加工部２を制御する。以後の説明において、方向は図１に示す方向を用いる。
【００１１】
レーザヘッド部３は、本体ベース１１、レーザ光Ｌを出射するレーザ光出射部１２、光シャッター部１３、光ダンパー（不図示）、ハーフミラー（不図示）、ガイド光部１５、反射ミラー１７、光センサ２０、ガルバノスキャナ１８、およびｆθレンズ１９などを有し、不図示の略直方体形状の筐体カバーで覆われている。
【００１２】
レーザ光出射部１２は、レーザ発振器２１、およびビームエキスパンダ２２などを有する。レーザ光出射部１２は本体ベース１１に取り付けられており、励起用レーザ光出射部４０（後述）から出射される励起用レーザ光が光ファイバＦを介して入射される。レーザ発振器２１は、不図示の例えばＹＡＧレーザおよび受動Ｑスイッチなどを有する。レーザ発振器２１は光ファイバＦを介して入射される励起用レーザ光に応じて、加工対象物Ｗの加工面ＷＡに加工を行うためのパルス状のレーザ光Ｌを出射する。ビームエキスパンダ２２は、レーザ発振器２１と同軸に設けられており、レーザ光Ｌのビーム径を調整する。尚、レーザ発振器２１がレーザ光Ｌを出射する方向が前方向であり、レーザヘッド部３の上下方向及び前後方向に直交する方向が、レーザヘッド部３の左右方向である。
【００１３】
光シャッター部１３は、シャッターモータ２６および平板状のシャッター２７を有する。シャッター２７は、シャッターモータ２６のモータ軸に取り付けられて同軸に回転する。シャッター２７は、ビームエキスパンダ２２から出射されたレーザ光Ｌの光路を遮る位置に回転された際には、レーザ光Ｌを光ダンパーへ反射する。光ダンパーはシャッター２７で反射されたレーザ光Ｌを吸収する。一方、シャッター２７がビームエキスパンダ２２から出射されたレーザ光Ｌの光路を遮らない位置に回転された際には、ビームエキスパンダ２２から出射されたレーザ光Ｌは、光シャッター部１３の前側に配置されたハーフミラーに入射する。ハーフミラーは、後側から入射されるレーザ光Ｌのほぼ全部を透過し、一部を反射ミラー１７へ反射する。ハーフミラーを透過したレーザ光Ｌはガルバノスキャナ１８に入射される。反射ミラー１７は入射されたレーザ光Ｌを光センサ２０へ反射する。光センサ２０は、入射されたレーザ光Ｌの発光強度に応じた信号をレーザコントローラ５へ出力する。
【００１４】
ガイド光部１５は、ガイド光レーザ２８（図２）およびレンズ群（不図示）などを有する。ガイド光レーザ２８は例えば赤色の、可視レーザ光を出射する半導体レーザである。レンズ群（不図示）は可視レーザ光を平行光に収束する。ガイド光部１５はハーフミラーの右側に配置されている。ハーフミラーはガイド光部１５から出射された可視レーザ光であるガイド光をガルバノスキャナ１８へ向けて反射する。ここで、ハーフミラーにより反射されたガイド光の光路と、ハーフミラーを透過したレーザ光Ｌの光路とは一致する。尚、ガイド光は、レーザ加工の際に加工対象物Ｗの位置合わせに用いられるものである。
【００１５】
ガルバノスキャナ１８は、本体ベース１１の前側端部に形成された貫通孔（不図示）の上側に取り付けられている。ガルバノスキャナ１８は、ガルバノＸ軸モータ３１、ガルバノＹ軸モータ３２、本体部３３などを有する。ガルバノＸ軸モータ３１およびガルバノＹ軸モータ３２の各々は、モータ軸およびモータ軸の先端部に取り付けられた走査ミラーを有する。ガルバノＸ軸モータ３１およびガルバノＹ軸モータ３２は、各々のモータ軸が互いに直交し、各々の走査ミラーが互いに対向するように、本体部３３に取り付けられている。各モータ３１，３２が回転することにより、各走査ミラーが回転する。これにより、レーザ光Ｌおよびガイド光が２次元走査される。ここで、走査方向は、レーザヘッド部３の方向において、前から後へ向かうＸ方向と、右から左へ向かうＹ方向である。
【００１６】
ｆθレンズ１９は、ガルバノスキャナ１８によって２次元走査されたレーザ光Ｌとガイド光とを下方に配置された加工対象物Ｗの加工面ＷＡに集光させる。
【００１７】
電源ユニット６は、励起用レーザ光出射部４０、励起用レーザドライバ５１、および電源部５２などを有する。電源部５２は不図示の電源コードを介して商用電源に接続される。電源部５２は給電される交流電力を直流電力に変換し、レーザ加工部２の各部へ給電する。励起用レーザドライバ５１は、レーザコントローラ５からの命令に応じて、励起用レーザ光出射部４０を駆動する。励起用レーザ光出射部４０は光ファイバＦを介してレーザ発振器２１と光学的に接続されている。励起用レーザ光出射部４０は半導体レーザを有し、励起用レーザドライバ５１から供給される駆動電流の電流値に応じたパワーの励起用レーザ光を光ファイバＦ内に出射する。
【００１８】
＜レーザ加工装置の電気的構成＞
次に、レーザ加工装置１の電気的構成について、図２を用いて説明する。ＰＣ７は、図１で示した構成の他に、制御部７０、制御回路７４などを備える。制御部７０は、ＣＰＵ７１、ＲＡＭ７２、ＲＯＭ７３、およびＨＤＤ(Hard Disk Drive）７５等を有する。ここで、制御部７０が備えるオペレーティングシステム（ＯＳ）はWindows（登録商標）であるものとする。また、ＰＣ７にはレーザ加工のためのアプリケーションソフトウェアが予めインストールされている。以後の説明において、レーザ加工のためのアプリケーションソフトウェアを専用ソフトと称する。ＰＣ７は専用ソフトを実行して、印字データを作成する。専用ソフトには、後述する、ファイル作成保存処理および第１画像表示処理のプログラムが含まれる。ＲＯＭ７３にはファームウェアなどが記憶されている。ＲＡＭ７２はＣＰＵ７１が各種の処理を実行するための主記憶装置として用いられる。また、ＨＤＤ７５には専用ソフト、第２画像表示処理のプログラム、各種アプリケーションソフトウェア、文字パラメータ情報、および加工設定データなどが記憶されている。文字パラメータ情報とは、フォント毎のパラメータ情報であり、例えばストロークフォントの場合には、文字の中心の点の座標と、各点を結ぶ線を表す式のパラメータなどの情報である。また、アウトラインフォントの場合には、文字の輪郭線を構成する点の座標と、各点を結ぶ線を表す式のパラメータなどの情報である。加工設定データとは、後述するように、ユーザにより入力される加工材料などの入力値に対する、レーザ光Ｌのパワー、パルス幅、照射回数、ガルバノスキャナ１８の走査速度などの各値が対応付けられたデータである。ＣＰＵ７１、ＲＡＭ７２、およびＲＯＭ７３は、不図示のバス線により相互に接続されている。また、ＣＰＵ７１とＨＤＤ７５は、不図示の入出力インターフェースを介して接続されている。
【００１９】
制御回路７４は、ＬＣＤ７７、キーボード７６、マウス７８などと電気的に接続されており、キーボード７６およびマウス７８が受け付けた操作を信号に変換して、ＣＰＵ７１へ出力する。また、ＣＰＵ７１からの命令に応じた表示画面をＬＣＤ７７に表示させる。
【００２０】
また、ＰＣ７は不図示の通信インターフェースを備え、データサーバ８とネットワークを介して接続されている。データサーバ８は材料画像データ８１および加工状態データ８２を保有しており、クライアントであるＰＣ７の要求に応じて、保有するデータをＰＣ７に提供する。
【００２１】
レーザコントローラ５は、例えばコンピュータなどで実現され、ＣＰＵ４１、ＲＡＭ４２、ＲＯＭ４３等を有する。ＣＰＵ４１はＲＯＭ４３に記憶されている各種のプログラムを実行することによって、後述のガルバノコントローラ５６、ガイド光レーザドライバ５８、および励起用レーザドライバ５１などを制御する。ＲＡＭ４２はＣＰＵ４１が各種の処理を実行するための主記憶装置として用いられる。尚、ＣＰＵ４１、ＲＡＭ４２、ＲＯＭ４３は、不図示のバス線により相互に接続されている。レーザコントローラ５は、ＰＣ７から出力される印字データに基づき、ガルバノスキャナ１８の駆動角度および回転速度などを含む駆動情報および励起用レーザドライバ５１の駆動電流値などを含む駆動情報を作成する。
【００２２】
レーザヘッド部３は、図１で示した構成の他に、ガルバノコントローラ５６、ガルバノドライバ３６、およびガイド光レーザドライバ５８などを有する。ガルバノコントローラ５６は、レーザコントローラ５から入力された駆動情報に基づいて、例えば駆動電流値、ＯＮ・ＯＦＦなどの制御信号をガルバノドライバ３６へ出力する。ガルバノドライバ３６は、ガルバノコントローラ５６から入力された制御信号に応じた駆動電流をガルバノＸ軸モータ３１およびガルバノＹ軸モータ３２へ供給する。
【００２３】
＜ファイル作成保存処理＞
次に、ＣＰＵ７１が専用ソフトに従って実行するファイル作成保存処理について説明する。レーザ加工装置１の電源がＯＮされ、ＰＣ７にて専用ソフトが起動されると、ＰＣ７はメイン画面をＬＣＤ７７に表示する。ユーザはメイン画面にて、加工したい文字、記号、図形などの情報である印字情報を入力する。例えば、「４８Ｅ」の文字を加工したい場合、ユーザは印字情報として、「４８Ｅ」の文字列、「４８Ｅ」の加工領域における位置、文字の大きさ、フォントなどを入力する。
【００２４】
ＣＰＵ７１は印字情報が入力されると、印字情報をＲＡＭ７２に記憶させる。次に、ユーザはマウス７８などを操作して、メイン画面に表示される、加工に関する設定を受付ける加工設定ボタン（不図示）を選択する。加工設定ボタンが選択されると、ＣＰＵ７１は図３に示す加工設定画面９１をＬＣＤ７７に表示させる。加工設定画面９１には、加工材料プルダウンメニュー９２、表面処理プルダウンメニュー９３、品質設定ボタン９４、照射回数設定ボタン９５、およびＯＫボタン９６などが表示される。加工材料プルダウンメニュー９２は、例えば「Ａ５０５２」、「ＳＳ４００」などのＪＩＳにて規定されている材料を識別する識別番号を選択肢として表示する。表面処理プルダウンメニュー９３は、例えばアルマイト、メッキなどの表面処理の名称を選択肢として表示する。品質設定ボタン９４は速さを最優先とする場合の値を０、品質を最優先とする場合の値を１５とする、０〜１５の整数で品質の優先度の入力を受け付けるものである。設定ボタン９５は、加工処理における印字パターンをなぞる照射回数を１〜５の整数で入力を受け付けるものである。ユーザは各ボタンの入力を完了すると、ＯＫボタン９６を選択する。
【００２５】
ＣＰＵ７１はＯＫボタン９６が選択されると、加工設定画面９１の入力値およびＲＡＭ７２に記憶されている印字情報に基づき、ＸＹ座標データを作成し、ＲＡＭ７２に記憶する。詳しくは、印字パターンの全ての線を線分に分解して、線分に対して始点座標、終点座標を指定したＸＹ座標データを作成する。例えば、印字パターンが文字もしくは記号である場合には、ＲＯＭ７３に記憶されている文字パラメータ情報から、印字情報に含まれるフォントの種別に対応する情報を抽出し、印字情報に含まれる、大きさおよび位置に基づき、ＸＹ座標データを作成する。また、加工設定画面９１の入力値に基づいて、ＸＹ座標データの１つの線分もしくは複数の線分を含む範囲毎に、レーザ光Ｌのパワー、パルス幅、照射回数、ガルバノスキャナ１８の走査速度などを算出してレーザ加工の条件を示す加工条件データを作成し、ＸＹ座標データに対応付けて、印字データを作成する。また、ＣＰＵ７１は作成した加工条件データをＲＡＭ７２に記憶させる。尚、加工設定画面９１にて入力を受け付ける項目である加工材料、表面処理、品質の各値の組み合わせに対する、レーザ光Ｌのパワー、パルス幅、照射回数、ガルバノスキャナ１８の走査速度などの各値の情報は加工設定データに含まれている。
【００２６】
メイン画面には、レーザ加工前に、加工後の加工対象物Ｗの状態である加工状態をユーザが確認できるように、加工状態の画像である加工状態画像の表示指示を受付ける加工状態画像表示選択ボタン（不図示）が表示される。加工対象物Ｗのレーザ光Ｌが照射された部分は、加工条件に応じて色合いなどが変化し、加工条件に応じた加工深さになる。加工画像データとは、印字データに基づくデータであり、加工条件および材料などに応じて、加工状態をシミュレーションした画像のデータである。ＣＰＵ７１は加工状態画像表示選択ボタンが選択されると、図４に示すファイル作成保存処理を開始する。まず、ＣＰＵ７１は、加工画像データを作成するためのデータを取得するため、ＲＡＭ７２に記憶されている加工条件データをデータサーバ８へ送信する（Ｓ２１）。ここで、データサーバ８が保有する材料画像データ８１および加工状態データ８２について説明する。材料画像データ８１とは、加工材料および表面処理に対して、該当する材料が例えばカメラなどにより撮像されて作成された加工前画像データが対応付けられたデータである。加工状態データ８２は図５に示すように、材料、表面処理、走査速度、レーザパワー、照射回数、表面画像、加工深さなどの項目が１組にされたデータである。材料は加工材料プルダウンメニュー９２の選択肢と同様の識別番号が値とされている。表面処理は表面処理プルダウンメニュー９３の選択肢と同様の表面処理の名称が値とされている。走査速度およびレーザパワーはそれぞれ、ガルバノスキャナ１８の走査速度の値およびレーザ発振器２１のパワーの値が項目の値とされている。表面画像は、同じ行の、材料および表面処理にて示される材料に、走査速度、レーザパワー、照射回数の各値である加工条件でレーザ加工が施された後の材料が例えばカメラなどにより撮像されて作成された表面画像データが項目の値とされている。同様に、加工深さは、同じ行の、材料および表面処理にて示される材料に、走査速度、レーザパワー、照射回数の各値である加工条件でレーザ加工が施された後のレーザ照射部分の測定された深さが項目の値とされている。
【００２７】
データサーバ８は加工条件データを受信すると、加工条件データに一致する表面画像データおよび加工深さの値を含む加工情報をＰＣ７へ送信する。尚、加工条件の材料および表面処理を除く加工状態データ８２の項目について、値と一致する行が無い場合には、データサーバ８は各項目において、最も近い値である行の表面画像データおよび加工深さの値を加工情報としてＰＣ７へ送信する。
【００２８】
次に、ＣＰＵ７１はデータサーバ８より送信されて取得した加工情報をＲＡＭ７２に記憶させる（図４、Ｓ２３）。次に、加工情報および印字データに基づき、加工画像データを作成し、作成した加工画像データをメイン画面に表示させる（Ｓ２５）。図６に示すように、印字データに含まれるＸＹ座標データに基づく加工画像１０１は印字パターンが例えば白黒で表示される。一方、加工画像データに基づく加工画像１０２は背景領域１０２ａに加工前画像データに基づく画像が展開され、レーザ照射部分１０２ｂに表面画像データに基づく画像が展開され、両者が合成されて作成されるものである。加工画像１０２が表示されるので、ユーザは加工状態を加工処理前に見て確認することができる。尚、図６においては、加工前画像データに基づく画像および表面画像データに基づく画像を各々のハッチングにて表現している。
【００２９】
次に、ＣＰＵ７１は例えば「印字ファイルを保存しますか？」などのメッセージとともに保存選択ボタンが表示されるファイル保存画面（不図示）をポップアップ表示させる。尚、印字ファイルとは、専用ソフトに対応するファイル形式に則った、印字データを含むファイルである。つまり、印字ファイルは専用ソフトにおいて、再生可能である。次に、印字ファイルを保存するか否かを判断する（Ｓ２７）。ＣＰＵ７１は所定時間内に保存選択ボタンが選択された場合、印字ファイルを保存すると判断し、所定時間内に保存選択ボタンが選択されなかった場合、印字ファイルを保存しないと判断する。印字ファイルを保存しないと判断すると（Ｓ２７：ＮＯ）、ＣＰＵ７１は処理を終了する。一方、印字ファイルを保存すると判断すると（Ｓ２７：ＹＥＳ）、画像保存処理を開始する（Ｓ２９）。
【００３０】
ＣＰＵ７１は画像保存処理（図８）を開始すると、まず、図７に示す保存設定画面１１１を表示させる。保存設定画面１１１には、ファイル名入力テキストボックス１１２、保存形式選択ラジオボタン１１３、および保存ボタン１１４などが表示される。保存形式選択ラジオボタン１１３は、「印字ファイルのみを保存」、「印字ファイルと画像とを別々に保存」、「印字ファイルと画像とを一緒に保存」、「印字ファイルと画像とを一緒に保存（アイコン表示）」の何れか１つを選択させるものである。「印字ファイルと画像とを別々に保存」とは、印字ファイルと加工画像データを含む画像ファイルとを別個のファイルとして保存する形式である。尚、ここでの画像ファイルとは、例えばマイクロソフト（登録商標）社製のペイントなどの汎用の画像表示ソフトウェアで表示することのできるファイルである。具体的には、画像ファイルのデータ形式は、例えば、ｂｍｐである。さらに、ｊｐｇ、ｐｎｇ、ｇｉｆ、ｔｉｆｆなどを含めることもできる。
【００３１】
「印字ファイルと画像とを一緒に保存」とは、加工画像データを組み込んだ印字ファイルを保存する形式である。「印字ファイルと画像とを一緒に保存（アイコン表示）」とは、加工画像データおよびサムネイル用の加工画像データを組み込んだ印字ファイルを保存する形式である。ここで、加工画像データが組み込まれた印字ファイルは、後述するように、汎用の画像表示ソフトウェアにて加工画像データを表示可能に構成されている。このため、「印字ファイルと画像とを一緒に保存」および「印字ファイルと画像とを一緒に保存（アイコン表示）」の場合、ユーザは汎用の画像表示ソフトウェアで印字ファイルに組み込まれた加工画像データを表示させて見ることができる。また、「印字ファイルと画像とを一緒に保存（アイコン表示）」の場合、ユーザは、ＰＣ７にて、印字ファイルをアイコン表示にて見ることができる。
【００３２】
次に、ＣＰＵ７１は保存ボタン１１４が選択されたか否かを判断する（図８、Ｓ３０）。保存ボタン１１４が選択されていないと判断すると（Ｓ３０：ＮＯ）、ＣＰＵ７１は保存ボタン１１４が選択されたと判断するまで、ステップＳ３０を繰り返し実行する。一方、保存ボタン１１４が選択されたと判断すると（Ｓ３０：ＹＥＳ）、ＣＰＵ７１は印字ファイルのみを保存するか否かを判断する（Ｓ３１）。ＣＰＵ７１は保存設定画面１１１にて「印字ファイルのみを保存」が選択された場合、印字ファイルのみを保存すると判断し、保存設定画面１１１にて「印字ファイルのみを保存」以外が選択された場合、印字ファイルのみを保存しないと判断する。印字ファイルのみを保存すると判断すると（Ｓ３１：ＹＥＳ）、ＣＰＵ７１は印字データを付加した印字ファイルを作成して作成した印字ファイルをＨＤＤ７５に記憶させて保存し（Ｓ３３）、処理を終了する。一方、印字ファイルのみを保存しないと判断すると（Ｓ３１：ＮＯ）、ＣＰＵ７１は加工画像データを印字ファイルと別々に保存するか否かを判断する（Ｓ３５）。ＣＰＵ７１は保存設定画面１１１にて「印字ファイルと画像とを別々に保存」が選択された場合、加工画像データを印字ファイルと別々に保存すると判断し、保存設定画面１１１にて「印字ファイルと画像とを一緒に保存」もしくは「印字ファイルと画像とを一緒に保存（アイコン表示）」が選択された場合、加工画像データを印字ファイルと別々に保存しないと判断する。
【００３３】
加工画像データを印字ファイルと別々に保存すると判断した場合（Ｓ３５：ＹＥＳ）、ＣＰＵ７１は印字データを付加した印字ファイルを作成して作成した印字ファイルをＨＤＤ７５に記憶させて保存する。また、加工画像データを付加した画像ファイルを作成し、画像ファイルの名前を印字ファイルと同じ名前として、ＨＤＤ７５に記憶させて保存し（Ｓ３７）、処理を終了する。一方、加工画像データを印字ファイルと別々に保存しないと判断した場合（Ｓ３５：ＮＯ）、ＣＰＵ７１はサムネイル画像作成指示ありか否かを判断する（Ｓ３９）。ＣＰＵ７１は保存設定画面１１１にて「印字ファイルと画像とを一緒に保存」が選択された場合、サムネイル画像作成指示なしと判断し、保存設定画面１１１にて「印字ファイルと画像とを一緒に保存（アイコン表示）」が選択された場合、サムネイル画像作成指示ありと判断する。サムネイル画像作成指示なしと判断した場合（Ｓ３９：ＮＯ）、ＣＰＵ７１は画像ファイル作成処理を実行する（Ｓ４１）。
【００３４】
画像ファイル作成処理については、図９を用いて説明する。ＣＰＵ７１は画像ファイル作成処理を実行することによって、図１０に示すデータ構成を有する画像印字ファイル１２０を作成する。ここでは、説明の便宜上、加工画像データ１２５が付加された印字ファイルを画像印字ファイル１２０と称し、アイコン用画像データ１２６が付加されている印字ファイルをサムネイル画像印字ファイル１３０と称する。
【００３５】
まず、ＣＰＵ７１は印字データ１２３を付加した印字ファイルを作成する（図９、Ｓ５１）。次に、印字ファイルの先頭にファイル判断記号１２１を付加する（Ｓ５３）。ファイル判断記号１２１は、ファイルが専用ソフトに対応したデータ形式のファイルであることを専用ソフトに示すための記号である。次に、印字ファイルのファイル判断記号１２１の後に誘導プログラム１２２を付加する（Ｓ５５）。誘導プログラム１２２は、汎用の画像表示ソフトウェアが印字ファイルを読み込んだ際に、後述のデータ判断記号１２４まで誘導するためのプログラムである。次に、印字ファイルの印字データ１２３の後にデータ判断記号１２４を付加する（Ｓ５７）。データ判断記号１２４は、次のデータが画像形式のデータであることを示す記号である。次に、印字ファイルのデータ判断記号１２４の後に加工画像データ１２５を付加し（Ｓ５９）、最新の印字ファイルである画像印字ファイル１２０をＲＡＭ７２に記憶させ、処理を終了する。
【００３６】
図８に戻り、ステップＳ４１の実行後、ステップＳ４３へ進む。一方、サムネイル画像作成指示ありと判断した場合（Ｓ３９：ＹＥＳ）、ＣＰＵ７１は画像ファイル作成処理を実行する（Ｓ４５）。次に、画像印字ファイル１２０に加工画像データの画像サイズを縮小するなどして作成したアイコン用画像データ１２６を加工画像データ１２５の後に付加する（Ｓ４７）。次に、Ｓ４３へ進む。ステップＳ４３では、ＣＰＵ７１は画像印字ファイル１２０もしくはサムネイル画像印字ファイル１３０をＨＤＤ７５に記憶させ、処理を終了する。
【００３７】
＜第１画像表示処理＞
次に、第１画像表示処理について図１１を用いて説明する。メイン画面には、例えば「ファイル」、「編集」などの操作を選択させるためのメニューバーが表示される。ユーザは、画像印字ファイル１２０もしくはサムネイル画像印字ファイル１３０を開きたい場合には、メニューバーの「ファイル」にて表示される「開く」メニューを選択して、ポップアップ表示される開く画面にて所望の画像印字ファイル１２０もしくはサムネイル画像印字ファイル１３０を選択し、ＯＫボタンを選択する。以下の説明において、画像印字ファイル１２０とサムネイル画像印字ファイル１３０との区別の必要のない場合には、印字ファイルと記載する。
【００３８】
ＣＰＵ７１は、専用ソフトが起動されると、所定時間毎に、再生受付処理を実行する。再生受付処理において、ＣＰＵ７１は印字データの再生指示を受け付けたか否かを判断する。詳しくは、開く画面に表示されるＯＫボタンが選択されたと判断した場合、印字データの再生指示を受け付けたと判断し、開く画面に表示されるＯＫボタンが選択さていないと判断した場合、印字データの再生指示を受け付けていないと判断する。印字データの再生指示を受け付けたと判断した場合、ＣＰＵ７１は印字ファイルをデータ配列順に読み出す読出処理を開始する。読出処理を開始後、ＣＰＵ７１は第１画像表示処理（図１１）を開始する。
【００３９】
第１画像表示処理を開始すると、ＣＰＵ７１はファイル判断記号１２１が印字ファイルにあるか否かを判断する（Ｓ６１）。詳しくは、ＣＰＵ７１は、先頭の記号がファイル判断記号１２１である場合、ファイル判断記号１２１があると判断し、先頭の記号がファイル判断記号１２１でない場合、ファイル判断記号１２１がないと判断する。ファイル判断記号１２１があると判断した場合（Ｓ６１：ＹＥＳ）、印字ファイルが専用ソフトに対応するファイル形式であり、印字データが付加されているため、ＣＰＵ７１は誘導プログラム１２２をスキップし、印字データ１２３を読み出し、印字データ１２３に基づいて印字パターンをメイン画面に表示させ（Ｓ６３）、処理を終了する。一方、ファイル判断記号１２１がないと判断した場合（Ｓ６１：ＮＯ）、印字ファイルは専用ソフトに対応するファイル形式ではないため、ＣＰＵ７１は例えば「ファイルを読み取れません」などのエラーメッセージを表示し（Ｓ６５）、処理を終了する。尚、第１画像表示処理を終了すると、ＣＰＵ７１は読出処理を終了する。
【００４０】
＜レーザ加工処理＞
ここでユーザがレーザ加工を行いたい場合には、例えば、メイン画面に表示される加工実行ボタン（不図示）を選択する。加工実行ボタンが選択されると、ＣＰＵ７１は、印字データに基づくレーザ加工をレーザコントローラ５に指示するレーザ加工処理を実行する。ＣＰＵ７１は、レーザ加工処理を開始すると、印字データを作成し、レーザコントローラ５へ出力する。レーザコントローラ５は印字データに基づいて、ガルバノコントローラ５６、励起用レーザドライバ５１などへレーザ加工を指示する。これにより、レーザ発振器２１は印字データに基づくパワーおよびパルス幅のレーザ光Ｌが出射し、印字パターンを描画するようにガルバノスキャナ１８がレーザ光Ｌを走査して、加工対象物Ｗにレーザ加工が施される。このように、ユーザは、保存されている印字ファイルの再生と、レーザ加工とを一連の流れで実行させることができる。
【００４１】
＜第２画像表示処理＞
次に、第２画像表示処理について図１２を用いて説明する。ユーザは汎用画像表示ソフトウェアで画像印字ファイル１２０もしくはサムネイル画像印字ファイル１３０を開きたい場合、汎用画像表示ソフトウェアを起動させ、表示画面にて所望の印字ファイルを選択し、表示画面に表示される、開くボタンを選択する。
【００４２】
開くボタンが選択されると、ＣＰＵ７１は読出処理を開始する。読出処理を開始後、ＣＰＵ７１は第２画像表示処理を開始する。第２画像表示処理を開始すると、ＣＰＵ７１は、ファイル判断記号１２１を無視し、誘導プログラム１２２を実行する（Ｓ７１）。ＣＰＵ７１は誘導プログラム１２２を実行することにより、データ判断記号１２４まで処理が誘導される。次に、ＣＰＵ７１はデータ判断記号１２４を読み出すことによって、次のデータが画像形式であると判断することができるため、加工画像データ１２５を読み出し、加工画像データ１２５に基づく画像を汎用画像表示ソフトウェアの画像表示エリアに表示させる。
【００４３】
尚、ＰＣ７のディスクトップ、フォルダなどで、サムネイル画像印字ファイル１３０がアイコン表示される際には、アイコン用の画像データがアイコンとして表示される。
【００４４】
ここで、レーザ加工装置１はレーザ加工装置の一例であり、励起用レーザドライバ５１、励起用レーザ光出射部４０、およびレーザ光出射部１２はレーザ光出射部の一例であり、ガルバノスキャナ１８は走査部の一例であり、ｆθレンズ１９は集光部の一例であり、制御部７０およびレーザコントローラ５は制御部の一例である。また、ＬＣＤ７７は表示部の一例である。また、ＸＹ座標データは形状データの一例であり、専用ソフトに対応するファイル形式は所定ファイル形式の一例であり、ＨＤＤ７５は記憶部の一例である。また、ステップＳ５１は第１生成処理および第１生成ステップの一例であり、ステップＳ２５は第２生成処理および第２生成ステップの一例である。また、ステップＳ５３〜Ｓ５９およびステップＳ４３は第１記憶処理および第１記憶ステップの一例である。また、ステップＳ５３〜Ｓ５９、ステップＳ４７、およびステップＳ４３は第１記憶処理および第１記憶ステップの一例である。また、ステップＳ３７は第１記憶処理および第１記憶ステップの一例である。データ判断記号１２４はデータ判断記号の一例である。ファイル判断記号１２１は印字記号の一例である。また、ステップＳ６１は第１判断処理の一例であり、ステップＳ６３は表示処理の一例であり、ステップＳ４７は第３生成処理の一例である。また、ステップＳ３１は第２判断処理の一例であり、ステップＳ３３は第２記憶処理の一例である。ステップＳ２３は取得処理の一例であり、加工状態データ８２はデータベースの一例である。
【００４５】
以上、説明した実施形態によれば、以下の効果を奏する。
ＣＰＵ７１は画像保存処理において印字ファイルを作成し、ファイル作成保存処理において加工画像データを生成する。ＣＰＵ７１はステップＳ３５においてＹＥＳと判断した場合には、印字ファイルと加工画像データが含まれる画像ファイルとを別々に記憶させる。ＣＰＵ７１はステップＳ３５においてＮＯと判断した場合には、加工画像データを組み込んだ印字ファイルを記憶させる。加工画像データは印字データに基づいているので、記憶された加工画像データを表示させれば、ユーザは印字ファイルに含まれる印字データの内容を容易に判別することができる。
【００４６】
また、加工画像データを組み込んだ印字ファイルが記憶される場合には、印字データと加工画像データとが１つのファイルになるので、データ管理がし易いファイルを提供することができる。
【００４７】
また、加工画像データが組み込まれた印字ファイルは、加工画像データが、汎用の画像表示ソフトウェアにより表示可能に構成されている。これにより、ユーザは専用ソフトを起動させる環境にいない場合にも、汎用の画像表示ソフトウェアにより加工画像データを表示させ、印字ファイルの内容を判別することができる。
【００４８】
また、ＣＰＵ７１はステップＳ６３において、印字データに基づく印字パターンをＬＣＤ７７に表示させる。また、印字データに基づくレーザ加工を指示するレーザ加工処理を実行する。これにより、ユーザは印字データに基づく画像をＬＣＤ７７にて見て、確認することができる。ＬＣＤ７７に表示される画像は印字データに基づくため、ユーザは印字データを確認後、引き続きレーザ加工を実行させることができる。
【００４９】
また、加工画像データが組み込まれた印字ファイルは、データ判断記号１２４および誘導プログラム１２２を有する。これにより、加工画像データを表示する汎用のソフトウェアが印字ファイルを読み込んだ場合にも、加工画像データを表示することができる。
【００５０】
また、印字ファイルは、ファイル判断記号１２１を、データ配列における誘導プログラム１２２の前に有する。ＣＰＵ７１は再生受付処理において、再生指示を受け付けたと判断した場合、印字ファイルをデータ配列順に読み出し、ファイル判断記号１２１が印字ファイルに有ると判断した場合、印字データに基づく印字パターンをＬＣＤ７７に表示させる。ファイル判断記号１２１は誘導プログラム１２２の前にあるので、ＣＰＵ７１はファイル判断記号１２１が含まれていると判断した場合には、誘導プログラム１２２を実行することなく、印字データに基づく表示が可能であると判断することができる。
【００５１】
ＣＰＵ７１は、ステップＳ４７において、印字データに基づくサムネイル画像データを生成し、サムネイル画像データを印字ファイルに組み込む。これにより、ユーザは、印字ファイルをサムネイル表示させて確認することができる。
【００５２】
また、ＣＰＵ７１は、ステップＳ３７において、汎用の画像表示ソフトウェアにより表示可能である画像ファイルと、印字ファイルとに、同じ識別子である同じファイル名を付与し、別々のファイルとして記憶させる。これにより、加工画像データだけを汎用ソフトまたはＯＳによって再生することができる。また、例えば、印字パターンが複雑である場合などに、加工画像データが表示された際に印字パターンを判別可能とするために、加工画像データの解像度を上げる必要が生じる場合がある。この場合、加工画像データのデータ量は多くなる。加工画像データが組み込まれた印字ファイルを汎用の画像表示ソフトで再生する場合、データ量が多くなると、処理に時間がかかってしまう場合がある。そこで、画像ファイルを印字ファイルとは別にすることで、加工画像データのデータ量が多い場合にも、加工画像データの表示にかかる時間を軽減することができる。
【００５３】
また、ＣＰＵ７１は、ステップＳ３１において、加工画像データを記憶する指示を受け付けたと判断した場合、ステップＳ３５へ進み、加工画像データを記憶する指示を受け付けていないと判断した場合、ステップＳ３３において、印字ファイルが組み込まれていない印字ファイルのみを記憶させる。これにより、加工画像データの記憶が必要ない場合には、加工画像データが組み込まれていない印字ファイルだけを記憶することができる。
【００５４】
また、ＣＰＵ７１は加工保存処理（Ｓ２９）の実行前に、加工状態データ８２から、加工部分データを取得し（Ｓ２３）、取得した加工部分データおよび印字データに基づき加工画像データを生成する（Ｓ２５）。これにより、ＣＰＵ７１はレーザ加工前に、加工後の加工画像データを生成することができる。
【００５５】
尚、上記では、レーザ加工装置１を例示したが、これに限定されることなく、レーザ加工装置１を制御するプログラム、レーザ加工装置１におけるデータ記憶方法として実施し得るものである。
【００５６】
また、本発明は前記実施形態に限定されるものではなく、本発明の趣旨を逸脱しない範囲内での種々の改良、変更が可能であることは言うまでもない。
例えば、上記では、印字ファイルに組み込まれる画像データは、加工後の加工対象物の状態をシミュレーションした画像である加工画像データであると説明したがこれに限定されない。印字ファイルに組み込まれる画像データを、印字パターンの画像データとする構成としても良い。
【００５７】
また、加工状態データ８２はレーザ光Ｌの強度データの一例であるレーザパワーと、ガルバノスキャナ１８の走査速度データの一例である走査速度と、レーザ光Ｌの照射回数データの一例である照射回数のすべてを含んで構成されていると説明したがこれに限定されず、加工状態データ８２はこれらのうち、少なくとも何れか１つを有する構成としても良い。
【００５８】
また、加工状態データ８２は、加工対象物Ｗの材質データの一例である材料と、加工対象物Ｗの表面に施されている表面加工の種類データの一例である表面処理とのどちらも含んで構成されていると説明したがこれに限定されず、加工状態データ８２はこれらのうち、少なくとも何れか１つを有する構成としても良い。
【００５９】
また、加工状態データ８２は、加工深さデータの一例である加工深さと、加工色データの一例である表面画像のどちらも含んで構成されていると説明したがこれに限定されず、加工状態データ８２はこれらのうち、少なくとも何れか１つを有する構成としても良い。
【００６０】
また、上記では、データサーバ８から材料画像データ８１および加工状態データ８２に含まれるデータが送信されると説明したが、これに限定されない。ネットワーク上に、材料画像データ８１および加工状態データ８２を保有するデータベースを備え、ＣＰＵ７１が材料画像データ８１および加工状態データ８２を検索し、加工情報を取得する構成としても良い。また、ＰＣ７が、例えばＨＤＤ７５などに、材料画像データ８１および加工状態データ８２を予め記憶している構成としても良い。
【００６１】
また、上記では、ステップＳ２５において、ＣＰＵ７１は画像データを作成した後に、印字ファイルを保存するか否かの判断（Ｓ２７）を一連の流れで実行すると説明したが、これに限定されない。画像データを作成と、印字ファイルの保存とを別個の処理とし、例えば、メイン画面に印字ファイルの保存のためのアイコンを表示し、アイコンが選択された場合に、印字ファイルの保存処理を実行する構成としても良い。この場合には、例えば、加工情報および印字データの変更の履歴を記憶しておき、保存時の加工情報および印字データに基づく画像データが保存される構成とすると良い。また、メイン画面には、画像データが組み込まれていない印字ファイルの保存のためのアイコンと、画像データが組み込まれている印字ファイルの保存のためのアイコンとの２つのアイコンを表示する構成とすると、ユーザは１つの操作で、何れかを選択することができて良い。
【００６２】
また、上記では、制御部７０が備えるオペレーティングシステム（ＯＳ）はWindowsであるものとして説明したが、これに限定されず、別のＯＳであっても良い。その際サムネイル表示等に関しては、各々のＯＳの規則に従った仕様にて印字ファイル内のデータを適宜並べ替えもしくは識別子の付け替え等を行えば良い。このようにすれば、別のＯＳにおいても、印字ファイルをサムネイル表示させて確認することができる。
【符号の説明】
【００６３】
１  レーザ加工装置
５  レーザコントローラ
７  ＰＣ
１２  レーザ光出射部
１８  ガルバノスキャナ
１９  ｆθレンズ
４０  励起用レーザ光出射部
５１  励起用レーザドライバ
７０  制御部
【図１】
2018140407.tif 000003
【図２】
2018140407.tif 000004
【図３】
2018140407.tif 000005
【図４】
2018140407.tif 000006
【図６】
2018140407.tif 000007
【図５】
2018140407.tif 000008
【図７】
2018140407.tif 000009
【図８】
2018140407.tif 000010
【図９】
2018140407.tif 000011
【図１０】
2018140407.tif 000012
【図１１】
2018140407.tif 000013
【図１２】
2018140407.tif 000014